(57)【特許請求の範囲】
【請求項１】
ハウジングの第１の支点を中心として外部からシーソ操作可能に支承された回動ノブと、
クリック溝が形成されたカム面を有し、前記ハウジング内の第２の支点を中心として回転可能に支承された回転部材と、
前記回動ノブに往復移動可能に保持された駆動体を前記カム面に弾性付勢するスプリングとを備え、
前記回動ノブに前記回転部材を回転駆動する駆動レバーを設け、
前記回転部材には、前記回転部材の前記カム面と前記第２の支点との間で前記駆動レバーの先端と係合する受部を形成し、
前記ハウジングに複数の固定接点を有する基板を固定し、前記回転部材にこれら固定接点と接離可能な可動接点を設けたことを特徴とするシーソ操作型電気部品のクリック機構。
【請求項２】
請求項１の記載において、前記駆動レバーの先端は、前記回転部材のカム面が形成された面とは別の面に設けた前記受部と係合することを特徴とするシーソ操作型電気部品のクリック機構。
【請求項３】
請求項２の記載において、前記受部が前記回転部材の一面に突出形成されることを特徴とするシーソ操作型電気部品のクリック機構。
【請求項４】
請求項３の記載において、可動接点が前記回転部材の他面に形成され、固定接点を有する基板を他面に対向させて配置することを特徴とするシーソ操作型電気部品のクリック機構。
【請求項５】
請求項２〜４のうちいずれか１項に記載において、前記駆動レバーの先端は円形であることを特徴とするシーソ操作型電気部品のクリック機構。
【発明の詳細な説明】
【０００１】
【発明の属する技術分野】
本発明は、クリック（節度）感触を伴って回動ノブがシーソ操作するシーソ操作型電気部品のクリック機構に関する。
【０００２】
【従来の技術】
従来、例えば自動車のワイパーとウオッシャーの操作用スイッチ装置として、実開昭５７−１７０２３０号公報に記載されているように、回動ノブのシーソ操作によってワイパー作動とウオッシャー作動を選択的に行なうようにしたものが知られている。かかる従来のスイッチ装置は、ハウジングにシーソ操作可能に支承された回動ノブと、回動ノブを複数のロック位置に保持するクリック機構と、回動ノブのシーソ動作に伴って駆動されるスライド体とを備えており、スライド体にはハウジング側に設けられた固定接点と接離する可動接点が取り付けられている。前記クリック機構は、ハウジングの内底面に形成されたカム面と、回動ノブにスプリングを介して保持されたボールとで構成されており、ボールはスプリングによってカム面に弾性付勢されている。
【０００３】
このように構成されたスイッチ装置にあって、外部から回動ノブの一端を押圧してシーソ動作させると、回動ノブに連動してボールがカム面の谷部から山部を乗り越えて隣の谷部へ移行するため、回動ノブは当該位置に安定的に保持され、その際にクリック感触が生起される。また、この回動ノブのシーソ動作に伴ってスライド体が水平方向へ駆動されるため、スライド体に設けられた可動接点が固定接点と接離し、接点の切り換え動作が行われる。
【０００４】
【発明が解決しようとする課題】
ところで、前述した従来のスイッチ装置では、固定側部材であるハウジングの内底面に形成されたカム面を回動ノブに保持されたボールが摺動するため、カム面の谷部と山部の角度を急峻にすると、回動ノブを保持するロック力は高められるが、回動ノブをシーソ動作させるのに大きな操作力を必要とし、その反対に、カム面の谷部と山部の角度をなだらかにすると、回動ノブを軽い操作力でシーソ動作できるが、ロック力が低下して回動ノブを安定的に保持できなくなる。つまり、回動ノブのロック力を高めることと操作力を低下させることとが相反する関係にあるため、両者を共に満足させることはできず、現状は回動ノブのロック力を高めるために操作力を大きくせざるを得ず、操作感触に優れたクリック機構を実現することができなかった。
【０００５】
【課題を解決するための手段】
本発明は、回動ノブに回転部材を回転駆動する駆動レバーを設け、回転部材には、回転部材のカム面と第２の支点との間で駆動レバーの先端と係合する受部を形成し、ハウジングに複数の固定接点を有する基板を固定し、回転部材にこれら固定接点と接離可能な可動接点を設けることする。このように回転部材の回転角度を拡大でき、また、回動ノブの一定回転角度に対するカム面の回転量を拡大できるため、限られたスペースの中で回転部材への接点配置の自由度を高めることができると共に所望のクリック感触を得ることができるる。
【０００６】
【発明の実施の形態】
本発明によるシーソ操作型電気部品のクリック機構では、ハウジングの第１の支点を中心として外部からシーソ操作可能に支承された回動ノブと、クリック溝が形成されたカム面を有し、前記ハウジング内の第２の支点を中心として回転可能に支承された回転部材と、前記回動ノブに往復移動可能に保持された駆動体を前記カム面に弾性付勢するスプリングとを備え、前記回動ノブに前記回転部材を回転駆動する駆動レバーを設け、前記回転部材には、前記回転部材の前記カム面と前記第２の支点との間で前記駆動レバーの先端と係合する受部を形成し、前記ハウジングに複数の固定接点を有する基板を固定し、前記回転部材にこれら固定接点と接離可能な可動接点を設けた。
【０００８】
前記回転部材はクリック部材としてのみ機能させても良いが、前記ハウジングに複数の固定接点を有する基板を固定し、前記回転部材にこれら固定接点と接離可能な可動接点を設けると、回動ノブのシーソ動作に連動して接点の切り換え動作を行なうことができるのみならず、狭い空間内で回転部材を大きく回転させられるため、各接点を配置する自由度を高めることができる。
【０００９】
【実施例】
実施例について図面を参照して説明すると、図１はシーソ操作型スイッチ装置の要部を示す分解斜視図、図２は該スイッチ装置の平面図、図３は該スイッチ装置の側断面図、図４は該スイッチ装置の動作説明図である。
【００１０】
図１〜図３に示すように、円筒状のケーシング１にホルダ２が圧入固定されており、これらケーシング１とホルダ２によってハウジングが構成されている。ケーシング１の基端部は図示せぬ自動車のコラム側に揺動可能に取り付けられており、ホルダ２にキャップ３が被せられている。ホルダ２の先端に第１の支点となる半円状の凹部２ａが形成され、ホルダ２の内部に第２の支点となる突起２ｂが形成されている。ホルダ２の凹部２ａに回動ノブ４の支軸４ａが支承されており、回動ノブ４は凹部２ａを中心としてホルダ２にシーソ動作可能に支持され、爪片４ｂによってホルダ２からの脱落が防止されている。回動ノブ４はキャップ３の開口端から外部へ露出する操作面４ｃを有し、操作面４ｃの裏面中央に駆動レバー４ｄと筒部４ｅが突出形成されている。駆動レバー４ｄの先端は円形で筒部４ｅより突出しており、筒部４ｅの内部にコイルスプリング５を介して駆動体であるボール６が往復移動可能に保持されている。
【００１１】
ホルダ２の突起２ｂに回転部材７の軸孔７ａが挿入されており、回転部材７を覆うようにプリント基板８がホルダ２に固定されている。回転部材７の軸孔７ａと反対側にはカム面７ｂが形成されており、回転部材７は突起２ｂを中心としてホルダ２に回転可能に支持されている。カム面７ｂの谷部と山部はなだらかに連続しており、このカム面７ｂにコイルスプリング５からの付勢力を受けてボール６が圧接されている。回転部材７の片面に一対の受部７ｃが突出形成されており、回動ノブ４から突出する駆動レバー４ｄの先端がこれら受部７ｃの間に挿入されている。また、回転部材７の他面に可動接点９が取り付けられており、可動接点９はプリント基板８に設けられた複数の固定接点１０に接離可能に圧接されている。
【００１２】
次に、このように構成されたスイッチ装置の動作を主として図４に基づいて説明すると、回動ノブ４が図４（ａ）に示す中立位置にある場合、ボール６は凹部２ａと突起２ｂを結ぶ直線上でカム面７ｂの谷部に圧接されており、回動ノブ４は中立位置に安定的に保持されている。また、可動接点９はコモン接点を除く固定接点１０と離間してスイッチオフであり、ワイパーが作動されない停止状態に維持されている。
【００１３】
図４（ａ）に示す中立位置で例えば操作面４ｃの左端を押圧すると、図４（ｂ）に示すように、回動ノブ４は凹部２ａを中心に反時計回り方向へシーソ動作し、この回転力が駆動レバー４ｄと受部７ｃの係合部分を介して回転部材７に伝達されるため、回転部材７は突起２ｂを中心に時計回り方向へ回転する。これに伴ってボール６はカム面７ｂ上を転動して左側の山部を乗り越え、山部の斜面に圧接して回転部材７を時計回り方向へ付勢するため、回動ノブ４は図４（ｂ）に示す第１のロック位置に保持される。その際、カム面７ｂの谷部と山部がなだらかに連続しているため、回動ノブ４を軽い操作力で第１のロック位置までシーソ動作することができ、しかも、カム面７ｂが回動ノブ４と反対方向へ回転する回転部材７に形成されているため、回動ノブ４を第１のロック位置に安定的に保持することができる。同時に、回転部材７の回転に連動して可動接点９がプリント基板８上を摺動し、コモン接点と特定の固定接点１０を短絡してスイッチオンとなるため、例えばワイパーが通常の速さで作動される。
【００１４】
これとは逆に、図４（ａ）に示す中立位置で例えば操作面４ｃの右端を押圧すると、図４（ｃ）に示すように、回動ノブ４は凹部２ａを中心に時計回り方向へシーソ動作し、回転部材７は突起２ｂを中心に反時計回り方向へ回転する。これに伴ってボール６はカム面７ｂの右側の山部を転動し、この間で可動接点９がコモン接点と別の固定接点１０を短絡してスイッチオンとなるため、例えばワイパーが１回だけ作動される。この場合、ボール６はカム面７ｂの右側の山部を乗り越えていないため、操作面４ｃへの押圧力を除去すると、回動ノブ４は図４（ａ）に示す中立位置に自動復帰する。
【００１５】
図４（ｃ）に示す位置から操作面４ｃの右端をさらに押圧すると、ボール６はカム面７ｂの右側の山部を乗り越え、山部の斜面に圧接して回転部材７を反時計回り方向へ付勢するため、回動ノブ４は図４（ｄ）に示す第２のロック位置に保持され、この間で可動接点９がコモン接点とさらに別の固定接点１０を短絡してスイッチオンとなるため、例えばワイパーが間欠的に作動される。この場合もカム面７ｂの谷部と山部はなだらかに連続しているため、回動ノブ４を軽い操作力で第２のロック位置までシーソ動作することができ、回動ノブ４を第２のロック位置に安定的に保持することができる。
【００１６】
なお、上記実施例では、回転部材７の回転量を可動接点９と固定接点１０を用いた接点の切り換え動作によって検出するスイッチ装置について説明したが、固定接点１０の代わりに抵抗体を用い、回転部材７の回転量を抵抗値変化として検出しても良く、回転部材７の回転量を発光素子と受光素子を用いて光学的に検出することも可能である。
【００１７】
また、上記実施例では、駆動レバー４ｄと回転部材７の係合部が第１の支点と第２の支点の間にある場合を説明したが、該係合部が第１の支点から見て第２の支点の向こう側にあっても良い。この場合、係合部の第１の支点からの距離が長くなるため、回動ノブの動きが上記実施例より大きくなり、回転部材を大きく動かすことが可能となる。
【００１８】
【発明の効果】
本発明は、以上説明したような形態で実施され、以下に記載されるような効果を奏する。
【００１９】
回動ノブに回転部材を回転駆動する駆動レバーを設け、回転部材には、回転部材のカム面と第２の支点との間で駆動レバーの先端と係合する受部を形成し、ハウジングに複数の固定接点を有する基板を固定し、回転部材にこれら固定接点と接離可能な可動接点を設けたため、回転部材の回転角度を拡大でき、また、回動ノブの一定回転角度に対するカム面の回転量を拡大できるため、限られたスペースの中で回転部材への接点配置の自由度を高めることができると共に所望のクリック感触を得ることができるので、小型でクリック感触に優れたシーソ操作型電気部品に好適なクリック機構を提供できる。また、カム面の回転範囲が拡大してカム山ピッチを拡大できるため、たとえシーソー操作型電気部品を小型化しても求めるフィーリング感を創出できる。
【００２０】
また、前記ハウジングに複数の固定接点を有する基板を固定し、前記回転部材にこれら固定接点と接離可能な可動接点を設けると、回動ノブのシーソ動作に連動して接点の切り換え動作を行なうことができるのみならず、狭い空間内で回転部材を大きく回転させられるため、各接点を配置する自由度を高めることができる。
【図面の簡単な説明】
【図１】実施例に係かるシーソ操作型スイッチ装置の要部を示す分解斜視図である。
【図２】該スイッチ装置の平面図である。
【図３】該スイッチ装置の側断面図である。
【図４】該スイッチ装置の動作説明図である。
【符号の説明】
１  ケーシング
２  ホルダ
２ａ  凹部
２ｂ  突起
４  回動ノブ
４ａ  支軸
４ｃ  操作面
４ｄ  駆動レバー
５  コイルスプリング
６  ボール
７  回転部材
７ａ  軸孔
７ｂ  カム面
７ｃ  受部
８  プリント基板
９  可動接点
１０  固定接点
【図１】
0003815867.tif 000002
【図２】
0003815867.tif 000003
【図３】
0003815867.tif 000004
【図４】
0003815867.tif 000005